(57)【要約】【課題】無線基地局とリレーノードとの間のＲＡプロシージャにおいて干渉を回避する。【解決手段】本発明に係る移動通信方法は、無線基地局ＤｅＮＢが、移動局ＵＥから「ＲＡ  Ｐｒｅａｍｂｌｅ」を受信すると、移動局ＵＥ用の「ＲＡ  Ｒｅｓｐｏｎｓｅ  ｗｉｎｄｏｗ」内に、移動局ＵＥに対して、「ＲＡ  Ｒｅｓｐｏｎｓｅ」を送信する工程と、リレーノードＲＮが、ＭＢＳＦＮサブフレーム以外のサブフレームで、移動局ＵＥに対して信号を送信する工程と、無線基地局ＤｅＮＢが、リレーノードＲＮから「ＲＡ  Ｐｒｅａｍｂｌｅ」を受信すると、リレーノードＲＮ用の「ＲＡ  Ｒｅｓｐｏｎｓｅ  ｗｉｎｄｏｗ」内のＭＢＳＦＮサブフレームで、リレーノードＲＮに対して、「ＲＡ  Ｒｅｓｐｏｎｓｅ」を送信する工程とを有する。【選択図】図７
2012019402.tif 000002
【特許請求の範囲】
【請求項１】
無線基地局が、移動局用ランダムアクセスレスポンス返送可能期間及びリレーノード用ランダムアクセスレスポンス返送可能期間を含む報知情報を送信する工程と、
前記無線基地局が、移動局からランダムアクセスプリアンブルを受信すると、前記移動局用ランダムアクセスレスポンス返送可能期間内に、該移動局に対して、ランダムアクセスレスポンスを送信する工程と、
リレーノードが、ＭＢＳＦＮサブフレーム以外のサブフレームで、前記移動局に対して信号を送信する工程と、
前記無線基地局が、前記リレーノードからランダムアクセスプリアンブルを受信すると、前記リレーノード用ランダムアクセスレスポンス返送可能期間内の前記ＭＢＳＦＮサブフレームで、該リレーノードに対して、ランダムアクセスレスポンスを送信する工程とを有することを特徴とする移動通信方法。
【請求項２】
前記無線基地局は、前記リレーノード用ランダムアクセスレスポンス返送可能期間を、前記ＭＢＳＦＮサブフレームの繰返し周期と同一にすることを特徴とする請求項１に記載の移動通信方法。
【請求項３】
リレーノードが、ＭＢＳＦＮサブフレーム以外のサブフレームで、移動局に対して信号を送信する工程と、
無線基地局が、ランダムアクセスレスポンス返送可能期間内に前記ＭＢＳＦＮサブフレームが含まれるように設定する工程と、
前記無線基地局が、前記リレーノードからランダムアクセスプリアンブルを受信すると、前記ランダムアクセスレスポンス返送可能期間内の前記ＭＢＳＦＮサブフレームで、該リレーノードに対して、ランダムアクセスレスポンスを送信する工程とを有することを特徴とする移動通信方法。
【請求項４】
リレーノードが、ＭＢＳＦＮサブフレーム以外のサブフレームで、移動局に対して信号を送信する工程と、
前記リレーノードが、ランダムアクセスプロシージャを開始する際に、前記ＭＢＳＦＮサブフレームの設定を解放し、前記移動局に対する信号の送信を停止する工程と、
前記無線基地局が、前記リレーノードからランダムアクセスプリアンブルを受信すると、ランダムアクセスレスポンス返送可能期間内に、該リレーノードに対して、ランダムアクセスレスポンスを送信する工程とを有することを特徴とする移動通信方法。
【請求項５】
移動局用ランダムアクセスレスポンス返送可能期間及びリレーノード用ランダムアクセスレスポンス返送可能期間を含む報知情報を送信するように構成されている報知情報送信部と、
移動局からランダムアクセスプリアンブルを受信すると、前記移動局用ランダムアクセスレスポンス返送可能期間内に、該移動局に対して、ランダムアクセスレスポンスを送信し、前記リレーノードからランダムアクセスプリアンブルを受信すると、前記リレーノード用ランダムアクセスレスポンス返送可能期間内のＭＢＳＦＮサブフレームで、該リレーノードに対して、ランダムアクセスレスポンスを送信するように構成されているランダムアクセスプロシージャ実行部とを具備し、
前記ＭＢＳＦＮサブフレームでは、前記リレーノードによる移動局宛ての信号の送信が行われないことを特徴とする無線基地局。
【請求項６】
前記リレーノード用ランダムアクセスレスポンス返送可能期間を、前記ＭＢＳＦＮサブフレームの繰返し周期と同一にするように構成されている設定部を具備することを特徴とする請求項５に記載の無線基地局。
【請求項７】
ランダムアクセスレスポンス返送可能期間内にＭＢＳＦＮサブフレームが含まれるように設定するように構成されている設定部と、
前記リレーノードからランダムアクセスプリアンブルを受信すると、前記ランダムアクセスレスポンス返送可能期間内の前記ＭＢＳＦＮサブフレームで、該リレーノードに対して、ランダムアクセスレスポンスを送信するように構成されているランダムアクセスプロシージャ実行部とを具備し、
前記ＭＢＳＦＮサブフレームでは、前記リレーノードによる移動局宛ての信号の送信が行われないことを特徴とする無線基地局。
【請求項８】
ＭＢＳＦＮサブフレーム以外のサブフレームで、移動局に対して信号を送信するように構成されている送信部を具備し、
前記送信部は、ランダムアクセスプロシージャを開始する際に、前記ＭＢＳＦＮサブフレームの設定を解放し、前記移動局に対する信号の送信を停止するように構成されていることを特徴とするリレーノード。
【発明の詳細な説明】
【技術分野】
【０００１】
本発明は、移動通信方法、無線基地局及びリレーノードに関する。
【背景技術】
【０００２】
図１４に、３ＧＰＰで規定されている「ｃｏｎｔｅｎｔｉｏｎ  ｂａｓｅｄ  Ｒａｎｄｏｍ  Ａｃｃｅｓｓプロシージャ」を示す。
【０００３】
具体的には、図１４に示すように、ステップ１において、移動局ＵＥが、無線基地局ｅＮＢに対して、「Ｒａｎｄｏｍ  Ａｃｃｅｓｓ（ＲＡ）  Ｐｒｅａｍｂｌｅ」を送信し、ステップ２において、無線基地局ｅＮＢが、移動局ＵＥに対して、「Ｒａｎｄｏｍ  Ａｃｃｅｓｓ（ＲＡ）  Ｒｅｓｐｏｎｓｅ」を送信する。
【０００４】
ステップ３において、移動局ＵＥが、無線基地局ｅＮＢに対して、「Ｓｃｈｅｄｕｌｅ  Ｔｒａｎｓｍｉｓｓｉｏｎ」を送信し、ステップ４において、無線基地局ｅＮＢが、移動局ＵＥに対して、「Ｃｏｎｔｅｎｔｉｏｎ  Ｒｅｓｏｌｕｔｉｏｎ」を送信する。
【先行技術文献】
【非特許文献】
【０００５】
【非特許文献１】３ＧＰＰ  ＴＳ３６.３００  １０.１.５.１
【発明の概要】
【発明が解決しようとする課題】
【０００６】
ＬＴＥ（Ｌｏｎｇ  Ｔｅｒｍ  Ｅｖｏｌｕｔｉｏｎ）-Ａｄｖａｎｃｅｄ方式では、移動局ＵＥは、リレーノードＲＮを介して、無線基地局ＤｅＮＢに接続することができるように構成されている。
【０００７】
かかるリレーノードＲＮも、移動局ＵＥと同様に、無線基地局ＤｅＮＢとの間で、上述のＲＡプロシージャを実行することができるように構成されている。
【０００８】
また、リレーノードＲＮは、「Ｈａｌｆ  Ｄｕｐｌｅｘ  ｉｎｂａｎｄ  ｒｅｌａｙ」として動作している場合、図１５（ａ）及び図１５（ｂ）に示すように、ＭＢＳＦＮ（ＭＢＭＳ  Ｓｉｎｇｌｅ  Ｆｒｅｑｕｅｎｃｙ  Ｎｅｔｗｏｒｋ）サブフレーム以外のサブフレームで、移動局ＵＥに対して信号を送信し、ＭＢＳＦＮサブフレームでは、移動局ＵＥに対して信号を送信しないように構成されている。
【０００９】
したがって、かかるＲＡプロシージャにおいて、無線基地局ＤｅＮＢは、干渉を避けるために、リレーノードＲＮに対して、ＭＢＳＦＮサブフレームで、「ＲＡ  Ｒｅｓｐｏｎｓｅ」を送信する必要がある。
【００１０】
また、かかるＲＡプロシージャにおいて、無線基地局ＤｅＮＢは、「ＲＡ  Ｐｒｅａｍｂｌｅ」を受信すると、「ＲＡ  Ｒｅｓｐｏｎｓｅ  ｗｉｎｄｏｗ」内に、「ＲＡ  Ｒｅｓｐｏｎｓｅ」を送信する必要がある。
【００１１】
したがって、かかるＲＡプロシージャにおいて、図１５（ａ）に示すように、無線基地局ＤｅＮＢは、リレーノードＲＮから「ＲＡ  Ｐｒｅａｍｂｌｅ」を受信すると、「ＲＡ  Ｒｅｓｐｏｎｓｅ  ｗｉｎｄｏｗ」内のＭＢＳＦＮサブフレーム（例えば、サブフレーム＃３/＃６/＃７/＃８/＃１）で、リレーノードＲＮに対して「ＲＡ  Ｒｅｓｐｏｎｓｅ」を送信する必要がある。
【００１２】
しかしながら、かかるＲＡプロシージャにおいて、図１５（ｂ）に示すように、「ＲＡ  Ｒｅｓｐｏｎｓｅ  ｗｉｎｄｏｗ」内にＭＢＳＦＮサブフレームが含まれていない場合、無線基地局ＤｅＮＢは、「ＲＡ  Ｒｅｓｐｏｎｓｅ」を送信することができないという問題点があった。
【００１３】
そこで、本発明は、上述の課題に鑑みてなされたものであり、無線基地局とリレーノードとの間のＲＡプロシージャにおいて干渉を回避することができる移動通信方法、無線基地局及びリレーノードを提供することを目的とする。
【課題を解決するための手段】
【００１４】
本発明の第１の特徴は、移動通信方法であって、無線基地局が、移動局用ランダムアクセスレスポンス返送可能期間及びリレーノード用ランダムアクセスレスポンス返送可能期間を含む報知情報を送信する工程と、前記無線基地局が、移動局からランダムアクセスプリアンブルを受信すると、前記移動局用ランダムアクセスレスポンス返送可能期間内に、該移動局に対して、ランダムアクセスレスポンスを送信する工程と、リレーノードが、ＭＢＳＦＮサブフレーム以外のサブフレームで、前記移動局に対して信号を送信する工程と、前記無線基地局が、前記リレーノードからランダムアクセスプリアンブルを受信すると、前記リレーノード用ランダムアクセスレスポンス返送可能期間内の前記ＭＢＳＦＮサブフレームで、該リレーノードに対して、ランダムアクセスレスポンスを送信する工程とを有することを要旨とする。
【００１５】
本発明の第２の特徴は、移動通信方法であって、リレーノードが、ＭＢＳＦＮサブフレーム以外のサブフレームで、移動局に対して信号を送信する工程と、無線基地局が、ランダムアクセスレスポンス返送可能期間内に前記ＭＢＳＦＮサブフレームが含まれるように設定する工程と、前記無線基地局が、前記リレーノードからランダムアクセスプリアンブルを受信すると、前記ランダムアクセスレスポンス返送可能期間内の前記ＭＢＳＦＮサブフレームで、該リレーノードに対して、ランダムアクセスレスポンスを送信する工程とを有することを要旨とする。
【００１６】
本発明の第３の特徴は、移動通信方法であって、リレーノードが、ＭＢＳＦＮサブフレーム以外のサブフレームで、移動局に対して信号を送信する工程と、前記リレーノードが、ランダムアクセスプロシージャを開始する際に、前記ＭＢＳＦＮサブフレームの設定を解放し、前記移動局に対する信号の送信を停止する工程と、前記無線基地局が、前記リレーノードからランダムアクセスプリアンブルを受信すると、ランダムアクセスレスポンス返送可能期間内に、該リレーノードに対して、ランダムアクセスレスポンスを送信する工程とを有することを要旨とする。
【００１７】
本発明の第４の特徴は、無線基地局であって、移動局用ランダムアクセスレスポンス返送可能期間及びリレーノード用ランダムアクセスレスポンス返送可能期間を含む報知情報を送信するように構成されている報知情報送信部と、移動局からランダムアクセスプリアンブルを受信すると、前記移動局用ランダムアクセスレスポンス返送可能期間内に、該移動局に対して、ランダムアクセスレスポンスを送信し、前記リレーノードからランダムアクセスプリアンブルを受信すると、前記リレーノード用ランダムアクセスレスポンス返送可能期間内のＭＢＳＦＮサブフレームで、該リレーノードに対して、ランダムアクセスレスポンスを送信するように構成されているランダムアクセスプロシージャ実行部とを具備し、前記ＭＢＳＦＮサブフレームでは、前記リレーノードによる移動局宛ての信号の送信が行われないことを要旨とする。
【００１８】
本発明の第５の特徴は、無線基地局であって、ランダムアクセスレスポンス返送可能期間内にＭＢＳＦＮサブフレームが含まれるように設定するように構成されている設定部と、前記リレーノードからランダムアクセスプリアンブルを受信すると、前記ランダムアクセスレスポンス返送可能期間内の前記ＭＢＳＦＮサブフレームで、該リレーノードに対して、ランダムアクセスレスポンスを送信するように構成されているランダムアクセスプロシージャ実行部とを具備し、
前記ＭＢＳＦＮサブフレームでは、前記リレーノードによる移動局宛ての信号の送信が行われないことを要旨とする。
【００１９】
本発明の第６の特徴は、リレーノードであって、ＭＢＳＦＮサブフレーム以外のサブフレームで、移動局に対して信号を送信するように構成されている送信部を具備し、前記送信部は、ランダムアクセスプロシージャを開始する際に、前記ＭＢＳＦＮサブフレームの設定を解放し、前記移動局に対する信号の送信を停止するように構成されていることを要旨とする。
【発明の効果】
【００２０】
以上説明したように、本発明によれば、無線基地局とリレーノードとの間のＲＡプロシージャにおいて干渉を回避することができる移動通信方法、無線基地局及びリレーノードを提供することができる。
【図面の簡単な説明】
【００２１】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって決定される「ＲＡ  Ｒｅｓｐｏｎｓｅ  ｗｉｎｄｏｗ」の一例について説明するための図である。
【図４】本発明の第１の実施形態に係る無線基地局によって送信されるＳＩＢ２内の情報要素「ＲＡＣＨ-ＣｏｎｆｉｇＣｏｍｍｏｎ」のフォーマットの一例を示す図である。
【図５】本発明の第１の実施形態に係るリレーノードの機能ブロック図である。
【図６】本発明の第１の実施形態に係る移動通信システムの動作を示すシーケンス図である。
【図７】本発明の第１の実施形態に係る移動通信システムの動作を示すフローチャートである。
【図８】本発明の第２の実施形態に係る無線基地局によって決定される「ＲＡ  Ｒｅｓｐｏｎｓｅ  ｗｉｎｄｏｗ」の一例について説明するための図である。
【図９】本発明の第２の実施形態に係る移動通信システムの動作を示すシーケンス図である。
【図１０】本発明の第２の実施形態に係る移動通信システムの動作を示すフローチャートである。
【図１１】本発明の第３の実施形態に係る無線基地局によって決定される「ＲＡ  Ｒｅｓｐｏｎｓｅ  ｗｉｎｄｏｗ」の一例について説明するための図である。
【図１２】本発明の第３の実施形態に係る移動通信システムの動作を示すシーケンス図である。
【図１３】本発明の第３の実施形態に係る移動通信システムの動作を示すフローチャートである。
【図１４】従来の移動通信システムの問題点を説明するための図である。
【図１５】従来の移動通信システムの問題点を説明するための図である。
【発明を実施するための形態】
【００２２】
（本発明の第１の実施形態に係る移動通信システム）
図１乃至図７を参照して、本発明の第１の実施形態に係る移動通信システムについて説明する。
【００２３】
図１に示すように、本実施形態に係る移動通信システムは、ＬＴＥ-Ａｄｖａｎｃｅｄ方式の移動通信システムであって、無線基地局ＤｅＮＢと、リレーノードＲＮとを具備している。
【００２４】
ここで、無線基地局ＤｅＮＢとリレーノードＲＮとの間は、Ｕｎインターフェイスによって接続されており、リレーノードＲＮと移動局ＵＥとの間は、ＲＮ-Ｕｕインターフェイスによって接続されている。
【００２５】
図２に示すように、無線基地局ＤｅＮＢは、設定部１０と、報知情報送信部１１と、ＲＡプロシージャ実行部１２とを具備している。
【００２６】
設定部１０は、移動局ＵＥ用の「ＲＡ  Ｒｅｓｐｏｎｓｅ  ｗｉｎｄｏｗ」及びリレーノードＲＮ用の「ＲＡ  Ｒｅｓｐｏｎｓｅ  ｗｉｎｄｏｗ」を設定するように構成されている。
【００２７】
ここで、図３に示すように、設定部１０は、リレーノードＲＮ用の「ＲＡ  Ｒｅｓｐｏｎｓｅ  ｗｉｎｄｏｗ」を、ＭＢＳＦＮサブフレームの繰返し周期（例えば、４０サブフレーム、すなわち、４０ｍｓ）と同一にするように構成されていてもよい。
【００２８】
また、設定部１０は、リレーノードＲＮにおけるＭＢＳＦＮサブフレームを設定するように構成されている。
【００２９】
報知情報送信部１１は、配下のセルに対して、報知情報として、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）を送信するように構成されている。
【００３０】
ここで、報知情報送信部１１は、移動局ＵＥ用の「ＲＡ  Ｒｅｓｐｏｎｓｅ  ｗｉｎｄｏｗ」及びリレーノードＲＮ用の「ＲＡ  Ｒｅｓｐｏｎｓｅ  ｗｉｎｄｏｗ」を含むＳＩＢを送信するように構成されている。
【００３１】
例えば、図４に示すように、報知情報送信部１１は、ＳＩＢ内の情報要素「ＲＡＣＨ-ＣｏｎｆｉｇＣｏｍｍｏｎ」内の情報要素「ｒａ-ＲｅｓｐｏｎｓｅＷｉｎｄｏｗＳｉｚｅ」に移動局ＵＥ用の「ＲＡ  Ｒｅｓｐｏｎｓｅ  ｗｉｎｄｏｗ」を設定し、ＳＩＢ内の情報要素「ＲＡＣＨ-ＣｏｎｆｉｇＣｏｍｍｏｎ」内の情報要素「ｒａ-ＲｅｓｐｏｎｓｅＷｉｎｄｏｗＳｉｚｅＲＮ」にリレーノードＲＮ用の「ＲＡ  Ｒｅｓｐｏｎｓｅ  ｗｉｎｄｏｗ」を設定するように構成されている。
【００３２】
ＲＡプロシージャ実行部１２は、移動局ＵＥ及びリレーノードＲＮとの間で、ＲＡプロシージャを行うように構成されている。
【００３３】
ここで、ＲＡプロシージャ実行部１２は、移動局ＵＥから「ＲＡ  Ｐｒｅａｍｂｌｅ」を受信すると、移動局ＵＥ用の「ＲＡ  Ｒｅｓｐｏｎｓｅ  ｗｉｎｄｏｗ」内に、移動局ＵＥに対して、「ＲＡ  Ｒｅｓｐｏｎｓｅ」を送信するように構成されている。
【００３４】
また、ＲＡプロシージャ実行部１２は、リレーノードＲＮから「ＲＡ  Ｐｒｅａｍｂｌｅ」を受信すると、リレーノードＲＮ用の「ＲＡ  Ｒｅｓｐｏｎｓｅ  ｗｉｎｄｏｗ」内のＭＢＳＦＮサブフレームで、リレーノードＲＮに対して、「ＲＡ  Ｒｅｓｐｏｎｓｅ」を送信するように構成されている。
【００３５】
図５に示すように、リレーノードＲＮは、受信部２１と、ＲＡプロシージャ実行部２２と、送信部２３とを具備している。
【００３６】
受信部２１は、無線基地局ＤｅＮＢによって送信された報知情報や制御信号やデータ信号を受信するように構成されている。
【００３７】
ＲＡプロシージャ実行部２２は、無線基地局ＤｅＮＢとの間で、ＲＡプロシージャを行うように構成されている。
【００３８】
ここで、ＲＡプロシージャ実行部２２は、リレーノードＲＮ用の「ＲＡ  Ｒｅｓｐｏｎｓｅ  ｗｉｎｄｏｗ」内で、無線基地局ＤｅＮＢからの「ＲＡ  Ｒｅｓｐｏｎｓｅ」を待ち受けるように構成されている。
【００３９】
送信部２３は、移動局ＵＥに対して信号を送信するように構成されている。具体的には、送信部２３は、ＭＢＳＦＮサブフレーム以外のサブフレームで、移動局ＵＥに対して信号を送信するように構成されている。
【００４０】
ここで、かかるＭＢＳＦＮサブフレームは、無線基地局ＤｅＮＢによって送信された制御信号に基づいて設定されるように構成されている。
【００４１】
以下、図６及び図７を参照して、本実施形態に係る移動通信システムの動作について説明する。
【００４２】
ここで、リレーノードＲＮは、「Ｈａｌｆ  Ｄｕｐｌｅｘ  ｉｎｂａｎｄ  ｒｅｌａｙ」として動作している場合、ＭＢＳＦＮサブフレーム以外のサブフレームで、移動局ＵＥに対して信号を送信し、ＭＢＳＦＮサブフレームでは、移動局ＵＥに対して信号を送信していないものとする。
【００４３】
ステップＳ１００１において、無線基地局ＤｅＮＢは、情報要素「ＲＡＣＨ-ＣｏｎｆｉｇＣｏｍｍｏｎ」内の情報要素「ｒａ-ＲｅｓｐｏｎｓｅＷｉｎｄｏｗＳｉｚｅ」に移動局ＵＥ用の「ＲＡ  Ｒｅｓｐｏｎｓｅ  ｗｉｎｄｏｗ」を設定し、情報要素「ＲＡＣＨ-ＣｏｎｆｉｇＣｏｍｍｏｎ」内の情報要素「ｒａ-ＲｅｓｐｏｎｓｅＷｉｎｄｏｗＳｉｚｅＲＮ」にリレーノードＲＮ用の「ＲＡ  Ｒｅｓｐｏｎｓｅ  ｗｉｎｄｏｗ」設定したＳＩＢ１を送信する。
【００４４】
ステップＳ１００２において、リレーノードＲＮは、ＳＩＢに含まれるＲＡＣＨ_ＲＯＯＴ_ＳＥＱＵＥＮＣＥに基づいて、「ＲＡ  Ｐｒｅａｍｂｌｅ」を生成し、「ＲＡ  Ｐｒｅａｍｂｌｅ」を、無線基地局ＤｅＮＢに対して送信する。
【００４５】
ステップＳ１００３Ａにおいて、無線基地局ＤｅＮＢは、受信した「ＲＡ  Ｐｒｅａｍｂｌｅ」の送信元が移動局ＵＥ或いはリレーノードＲＮのどちらであるかについて判定する。
【００４６】
無線基地局ＤｅＮＢは、受信した「ＲＡ  Ｐｒｅａｍｂｌｅ」の送信元がリレーノードＲＮであると判定した場合、ステップＳ１００３Ｂにおいて、リレーノードＲＮ用の「ＲＡ  Ｒｅｓｐｏｎｓｅ  ｗｉｎｄｏｗ」を適用する。
【００４７】
一方、無線基地局ＤｅＮＢは、受信した「ＲＡ  Ｐｒｅａｍｂｌｅ」の送信元が移動局ＵＥであると判定した場合、ステップＳ１００３Ｃにおいて、移動局ＵＥ用の「ＲＡ  Ｒｅｓｐｏｎｓｅ  ｗｉｎｄｏｗ」を適用する。
【００４８】
ステップＳ１００３Ｄにおいて、無線基地局ＤｅＮＢは、リレーノードＲＮ用の「ＲＡ  Ｒｅｓｐｏｎｓｅ  ｗｉｎｄｏｗ」内のＭＢＳＦＮサブフレームで、リレーノードＲＮに対して、「ＲＡ  Ｒｅｓｐｏｎｓｅ」を送信する。
【００４９】
或いは、ステップＳ１００３Ｄにおいて、無線基地局ＤｅＮＢは、移動局ＵＥ用の「ＲＡ  Ｒｅｓｐｏｎｓｅ  ｗｉｎｄｏｗ」内の通常のサブフレームで、移動局ＵＥに対して、「ＲＡ  Ｒｅｓｐｏｎｓｅ」を送信する。
【００５０】
ステップＳ１００４において、リレーノードＲＮが、無線基地局ｅＮＢに対して、「Ｓｃｈｅｄｕｌｅ  Ｔｒａｎｓｍｉｓｓｉｏｎ」を送信し、ステップＳ１００５において、無線基地局ｅＮＢが、リレーノードＲＮに対して、「Ｃｏｎｔｅｎｔｉｏｎ  Ｒｅｓｏｌｕｔｉｏｎ」を送信する。
【００５１】
本実施形態に係る移動通信システムによれば、リレーノードＲＮ用の「ＲＡ  Ｒｅｓｐｏｎｓｅ  ｗｉｎｄｏｗ」及び移動局ＵＥ用の「ＲＡ  Ｒｅｓｐｏｎｓｅ  ｗｉｎｄｏｗ」を別々に定義し、リレーノードＲＮ用の「ＲＡ  Ｒｅｓｐｏｎｓｅ  ｗｉｎｄｏｗ」を移動局ＵＥ用の「ＲＡ  Ｒｅｓｐｏｎｓｅ  ｗｉｎｄｏｗ」よりも長くすることによって、ＲＡプロシージャにおいて、無線基地局ＤｅＮＢは、ＭＢＳＦＮサブフレームで、「ＲＡ  Ｒｅｓｐｏｎｓｅ」を送信する確立を向上させることができる。
【００５２】
（本発明の第２の実施形態に係る移動通信システム）
図８乃至図１０を参照して、本発明の第２の実施形態に係る移動通信システムについて説明する。以下、本実施形態に係る移動通信システムについて、上述の第１の実施形態に係る移動通信システムとの相違点に着目して説明する。
【００５３】
無線基地局ＤｅＮＢの設定部１０は、図８に示すように、「ＲＡ  Ｒｅｓｐｏｎｓｅ  ｗｉｎｄｏｗ」内に、各リレーノードＲＮのＭＢＳＦＮサブフレームが含まれるように設定するように構成されている。
【００５４】
以下、図９及び図１０を参照して、本実施形態に係る移動通信システムの動作について説明する。
【００５５】
ここで、リレーノードＲＮは、「Ｈａｌｆ  Ｄｕｐｌｅｘ  ｉｎｂａｎｄ  ｒｅｌａｙ」として動作している場合、ＭＢＳＦＮサブフレーム以外のサブフレームで、移動局ＵＥに対して信号を送信し、ＭＢＳＦＮサブフレームでは、移動局ＵＥに対して信号を送信していないものとする。
【００５６】
無線基地局ＤｅＮＢは、ステップＳ２００１Ａ〜Ｓ２００１Ｃにおいて、ＳＩＢ１で報知している「ＲＡ  Ｒｅｓｐｏｎｓｅ  ｗｉｎｄｏｗ」内に、リレーノードＲＮのＭＢＳＦＮサブフレームが含まれるように設定する。
【００５７】
ステップＳ２００２において、無線基地局ＤｅＮＢ配下のセルにおいてＲＲＣ_Ｃｏｎｎｅｃｔｅｄ状態のリレーノードＲＮは、無線基地局ＤｅＮＢに対して、「ＲＡ  Ｐｒｅａｍｂｌｅ」を送信する。
【００５８】
ステップＳ２００３において、無線基地局ＤｅＮＢは、上述の「ＲＡ  Ｒｅｓｐｏｎｓｅ  ｗｉｎｄｏｗ」内のＭＢＳＦＮサブフレームで、リレーノードＲＮに対して、「ＲＡ  Ｒｅｓｐｏｎｓｅ」を送信する。
【００５９】
ステップＳ２００４において、リレーノードＲＮが、無線基地局ｅＮＢに対して、「Ｓｃｈｅｄｕｌｅ  Ｔｒａｎｓｍｉｓｓｉｏｎ」を送信し、ステップＳ２００５において、無線基地局ｅＮＢが、リレーノードＲＮに対して、「Ｃｏｎｔｅｎｔｉｏｎ  Ｒｅｓｏｌｕｔｉｏｎ」を送信する。
【００６０】
本実施形態に係る移動通信システムによれば、「ＲＡ  Ｒｅｓｐｏｎｓｅ  ｗｉｎｄｏｗ」内に各リレーノードＲＮのＭＢＳＦＮサブフレームが含まれるため、ＲＡプロシージャにおいて、無線基地局ＤｅＮＢは、ＭＢＳＦＮサブフレームで、「ＲＡ  Ｒｅｓｐｏｎｓｅ」を送信することができる。
【００６１】
（本発明の第３の実施形態に係る移動通信システム）
図１１乃至図１３を参照して、本発明の第３の実施形態に係る移動通信システムについて説明する。以下、本実施形態に係る移動通信システムについて、上述の第１の実施形態に係る移動通信システムとの相違点に着目して説明する。
【００６２】
リレーノードＲＮの送信部２３は、図１１に示すように、ＲＡプロシージャを開始する際に、ＭＢＳＦＮサブフレームの設定を解放し、移動局ＵＥに対する信号の送信を停止するように構成されている。
【００６３】
以下、図１２及び図１３を参照して、本実施形態に係る移動通信システムの動作について説明する。
【００６４】
ここで、リレーノードＲＮは、「Ｈａｌｆ  Ｄｕｐｌｅｘ  ｉｎｂａｎｄ  ｒｅｌａｙ」として動作している場合、ＭＢＳＦＮサブフレーム以外のサブフレームで、移動局ＵＥに対して信号を送信し、ＭＢＳＦＮサブフレームでは、移動局ＵＥに対して信号を送信していないものとする。
【００６５】
無線基地局ＤｅＮＢ配下のセルにおいてＲＲＣ_Ｃｏｎｎｅｃｔｅｄ状態のリレーノードＲＮは、ステップＳ３００１Ａにおいて、ＲＡプロシージャを起動すると、ステップＳ３００１Ｂにおいて、Ｕｎサブフレームの構成を解放し、ＭＢＳＦＮサブフレームの設定を解放し、移動局ＵＥに対する信号の送信を停止した後、ステップＳ３００１Ｃにおいて、ＲＡプロシージャを実行する。
【００６６】
ステップＳ３００２において、リレーノードＲＮは、無線基地局ＤｅＮＢに対して、「ＲＡ  Ｐｒｅａｍｂｌｅ」を送信する。
【００６７】
ステップＳ３００３において、無線基地局ＤｅＮＢは、上述の「ＲＡ  Ｒｅｓｐｏｎｓｅ  ｗｉｎｄｏｗ」内の任意のサブフレームで、リレーノードＲＮに対して、「ＲＡ  Ｒｅｓｐｏｎｓｅ」を送信する。
【００６８】
ステップＳ３００４において、リレーノードＲＮが、無線基地局ｅＮＢに対して、「Ｓｃｈｅｄｕｌｅ  Ｔｒａｎｓｍｉｓｓｉｏｎ」を送信し、ステップＳ３００５において、無線基地局ｅＮＢが、リレーノードＲＮに対して、「Ｃｏｎｔｅｎｔｉｏｎ  Ｒｅｓｏｌｕｔｉｏｎ」を送信する。
【００６９】
本実施形態に係る移動通信システムによれば、ＲＡプロシージャにおいて、「ＲＡ  Ｒｅｓｐｏｎｓｅ  ｗｉｎｄｏｗ」内で、リレーノードＲＮは、移動局ＵＥに対する信号の送信を行っていないため、無線基地局ＤｅＮＢは、干渉を回避しつつ、「ＲＡ  Ｒｅｓｐｏｎｓｅ」を送信することができる。
【００７０】
以上に述べた本実施形態の特徴は、以下のように表現されていてもよい。
【００７１】
本実施形態の第１の特徴は、移動通信方法であって、無線基地局ＤｅＮＢが、移動局ＵＥ用の「ＲＡ  Ｒｅｓｐｏｎｓｅ  ｗｉｎｄｏｗ」（移動局用ランダムアクセスレスポンス返送可能期間）及びリレーノードＲＮ用の「ＲＡ  Ｒｅｓｐｏｎｓｅ  ｗｉｎｄｏｗ」（リレーノード用ランダムアクセスレスポンス返送可能期間）を含むＳＩＢ（報知情報）を送信する工程と、無線基地局ＤｅＮＢが、移動局ＵＥから「ＲＡ  Ｐｒｅａｍｂｌｅ（ランダムアクセスプリアンブル）」を受信すると、移動局ＵＥ用の「ＲＡ  Ｒｅｓｐｏｎｓｅ  ｗｉｎｄｏｗ」内に、移動局ＵＥに対して、「ＲＡ  Ｒｅｓｐｏｎｓｅ（ランダムアクセスレスポンス）」を送信する工程と、リレーノードＲＮが、ＭＢＳＦＮサブフレーム以外のサブフレームで、移動局ＵＥに対して信号を送信する工程と、無線基地局ＤｅＮＢが、リレーノードＲＮから「ＲＡ  Ｐｒｅａｍｂｌｅ」を受信すると、リレーノードＲＮ用の「ＲＡ  Ｒｅｓｐｏｎｓｅ  ｗｉｎｄｏｗ」内のＭＢＳＦＮサブフレームで、リレーノードＲＮに対して、「ＲＡ  Ｒｅｓｐｏｎｓｅ」を送信する工程とを有することを要旨とする。
【００７２】
本実施形態の第１の特徴において、無線基地局ＤｅＮＢは、リレーノードＲＮ用の「ＲＡ  Ｒｅｓｐｏｎｓｅ  ｗｉｎｄｏｗ」を、ＭＢＳＦＮサブフレームの繰返し周期と同一にしてもよい。
【００７３】
本実施形態の第２の特徴は、移動通信方法であって、リレーノードＲＮが、ＭＢＳＦＮサブフレーム以外のサブフレームで、移動局ＵＥに対して信号を送信する工程と、無線基地局ＤｅＮＢが、「ＲＡ  Ｒｅｓｐｏｎｓｅ  ｗｉｎｄｏｗ」内にＭＢＳＦＮサブフレームが含まれるように設定する工程と、無線基地局ＤｅＮＢが、リレーノードＲＮから「ＲＡ  Ｐｒｅａｍｂｌｅ」を受信すると、「ＲＡ  Ｒｅｓｐｏｎｓｅ  ｗｉｎｄｏｗ」内のＭＢＳＦＮサブフレームで、リレーノードＲＮに対して、「ＲＡ  Ｒｅｓｐｏｎｓｅ」を送信する工程とを有することを要旨とする。
【００７４】
本実施形態の第３の特徴は、移動通信方法であって、リレーノードＲＮが、ＭＢＳＦＮサブフレーム以外のサブフレームで、移動局ＵＥに対して信号を送信する工程と、リレーノードＲＮが、ＲＡプロシージャ（ランダムアクセスプロシージャ）を開始する際に、ＭＢＳＦＮサブフレームの設定を解放し、移動局ＵＥに対する信号の送信を停止する工程と、無線基地局ＤｅＮＢが、リレーノードＲＮから「ＲＡ  Ｐｒｅａｍｂｌｅ」を受信すると、「ＲＡ  Ｒｅｓｐｏｎｓｅ  ｗｉｎｄｏｗ」内に、リレーノードＲＮに対して、「ＲＡ  Ｒｅｓｐｏｎｓｅ」を送信する工程とを有することを要旨とする。
【００７５】
本実施形態の第４の特徴は、無線基地局ＤｅＮＢであって、移動局ＵＥ用の「ＲＡ  Ｒｅｓｐｏｎｓｅ  ｗｉｎｄｏｗ」及びリレーノードＲＮ用の「ＲＡ  Ｒｅｓｐｏｎｓｅ  ｗｉｎｄｏｗ」を含むＳＩＢを送信するように構成されている報知情報送信部１１と、移動局ＵＥから「ＲＡ  Ｐｒｅａｍｂｌｅ」を受信すると、移動局ＵＥ用の「ＲＡ  Ｒｅｓｐｏｎｓｅ  ｗｉｎｄｏｗ」内に、移動局ＵＥに対して、「ＲＡ  Ｒｅｓｐｏｎｓｅ」を送信し、リレーノードＲＮから「ＲＡ  Ｐｒｅａｍｂｌｅ」を受信すると、リレーノードＲＮ用の「ＲＡ  Ｒｅｓｐｏｎｓｅ  ｗｉｎｄｏｗ」内のＭＢＳＦＮサブフレームで、リレーノードＲＮに対して、「ＲＡ  Ｒｅｓｐｏｎｓｅ」を送信するように構成されているＲＡプロシージャ実行部１２（ランダムアクセスプロシージャ実行部）とを具備し、ＭＢＳＦＮサブフレームでは、リレーノードＲＮによる移動局ＵＥ宛ての信号の送信が行われないことを要旨とする。
【００７６】
本実施形態の第４の特徴において、無線基地局ＤｅＮＢは、リレーノードＲＮ用の「ＲＡ  Ｒｅｓｐｏｎｓｅ  ｗｉｎｄｏｗ」を、ＭＢＳＦＮサブフレームの繰返し周期と同一にするように構成されている設定部１０を具備してもよい。
【００７７】
本実施形態の第５の特徴は、無線基地局ＤｅＮＢであって、「ＲＡ  Ｒｅｓｐｏｎｓｅ  ｗｉｎｄｏｗ」内にＭＢＳＦＮサブフレームが含まれるように設定するように構成されている設定部１０と、リレーノードＲＮから「ＲＡ  Ｐｒｅａｍｂｌｅ」を受信すると、「ＲＡ  Ｒｅｓｐｏｎｓｅ  ｗｉｎｄｏｗ」内のＭＢＳＦＮサブフレームで、リレーノードＲＮに対して、「ＲＡ  Ｒｅｓｐｏｎｓｅ」を送信するように構成されているＲＡプロシージャ実行部１２とを具備し、ＭＢＳＦＮサブフレームでは、リレーノードＲＮによる移動局ＵＥ宛ての信号の送信が行われないことを要旨とする。
【００７８】
本実施形態の第５の特徴は、リレーノードＲＮであって、ＭＢＳＦＮサブフレーム以外のサブフレームで、移動局ＵＥに対して信号を送信するように構成されている送信部２３を具備し、送信部２３は、ＲＡプロシージャを開始する際に、ＭＢＳＦＮサブフレームの設定を解放し、移動局ＵＥに対する信号の送信を停止するように構成されていることを要旨とする。
【００７９】
なお、上述の無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００８０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮや移動局ＵＥ内に設けられていてもよい。また、かかる記憶媒体及びプロセッサは、ディスクリートコンポーネントとして無線基地局ＤｅＮＢやリレーノードＲＮや移動局ＵＥ内に設けられていてもよい。
【００８２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８３】
ＵＥ…移動局
ＤｅＮＢ…無線基地局
ＲＮ…リレーノード
１０…設定部
１１…報知情報送信部
１２、２２…ＲＡプロシージャ実行部
２１…受信部
２３…送信部
【図１】
2012019402.tif 000003
【図２】
2012019402.tif 000004
【図３】
2012019402.tif 000005
【図４】
2012019402.tif 000006
【図５】
2012019402.tif 000007
【図６】
2012019402.tif 000008
【図７】
2012019402.tif 000009
【図８】
2012019402.tif 000010
【図９】
2012019402.tif 000011
【図１０】
2012019402.tif 000012
【図１１】
2012019402.tif 000013
【図１２】
2012019402.tif 000014
【図１３】
2012019402.tif 000015
【図１４】
2012019402.tif 000016
【図１５】
2012019402.tif 000017